(57)【要約】      （修正有）【課題】食卓卓上用の装飾品を提供する。【解決手段】食卓卓上装飾品は、スタンドを含み、スタンドには収納箱１１が回転できるように取り付けられる。収納箱の頂部端面には支持ロッド１８が固定的に取り付けられ、支持ロッドの頂部端面には装飾鉢２０が固定的に取り付けられる。装飾鉢の中には生け花溝２２が設けられ、装飾用の生け花を置くことができる。収納箱の中にはティッシュや他の器具を保存できる保存部品８０が設けられ、保存部品は前記収納箱の中に設けられた収納チャンバ１７を含み収納チャンバの中に茶具や小物を置くことができる。食卓への装飾効果をより良くし、食事の雰囲気をより良くし、またティッシュや小物の保存空間を設置することにより、装飾品を更に実用的にする。【選択図】図１
2020182758.tif 000002
【特許請求の範囲】
【請求項１】
正面視で、スタンドを含み、前記スタンドには収納箱が回転できるように取り付けられ、前記収納箱の中にはティッシュや他の器具を保存できる保存部品が設けられ、前記保存部品は前記収納箱の中に設けられた収納チャンバを含み、前記収納チャンバの左側にはティッシュを保存できるティッシュ保存チャンバが設けられ、前記ティッシュ保存チャンバの後側内壁には直接にロールティッシュを置くことができるティッシュ取り付けピンが回転できるように取り付けられ、前記ティッシュ保存チャンバの頂壁には前記収納箱の左側端面と連通している転送溝が設けられ、前記転送溝の前後内壁の間には左右に対称するローラ軸が回転できるように取り付けられ、前記ローラ軸には転送ローラが回転できるように取り付けられ、前記転送ローラの左側が前記転送溝の前後内壁の間に位置しており、前記転送ローラの左側には補助ローラが回転できるように取り付けられ、前記補助ローラと前記転送ローラとの間にはティッシュを転送できる転送ベルトが伝動できるように取り付けられ、前記転送溝の上下内壁の中にはティッシュ切り制御チャンバが上下に対称的に設けられ、前記ティッシュ切り制御チャンバと前記転送溝との間にはティッシュを切ることができる切り刃がスライドできるように取り付けられ、前記ティッシュ切り制御チャンバの左右内壁の間には押しロッドがヒンジによって取り付けられ、前記押しロッドには固定ピンが固定的に取り付けられ、前記押しロッドと前記切り刃とがスライドできるように取り付けられ、上側の前記ティッシュ切り制御チャンバと下側の前記ティッシュ切り制御チャンバとの間には連通している連結溝が設けられ、前記連結溝の後側には磁石チャンバが設けられ、前記磁石チャンバの後側内壁の中には電磁石が固定的に取り付けられ、前記連結溝と前記磁石チャンバとの間にはスライド軸がスライドできるように取り付けられ、前記スライド軸の後側端面には前記電磁石と引き合うことができる永久磁石が固定的に取り付けられ、前記押しロッドの左側端面にはスライドロッドが固定的に取り付けられ、前記スライドロッドと前記固定ピンとがスライドできるように取り付けられ、前記電磁石を通電させた後、前記電磁石が前記永久磁石を吸着し、これによりスライドロッドが押しロッドを押し動かして回転させ、押しロッドが切り刃を連動させてティッシュを切らせ、前記収納箱の頂部端面には支持ロッドが固定的に取り付けられ、前記支持ロッドの頂部端面には装飾鉢が固定的に取り付けられ、前記装飾鉢と前記支持ロッドとには装飾部品が設けられ、前記装飾部品は前記支持ロッドの前後端面に固定的に取り付けられた装飾酒ラックを含み、前記装飾酒ラックに装飾用の酒瓶を置くことができ、前記装飾鉢の中には生け花溝が設けられ、前記生け花溝の中に装飾用の生け花を置くことができ、前記生け花溝の内壁にはイルミネーションが左右に対称的に固定的に取り付けられ、前記イルミネーションが生け花の装飾効果を向上させることができ、前記装飾部品は前記装飾鉢の頂部端面に中心に対称的に設けられた六つの光溝も含み、前記光溝の内壁の中には装飾の光を投射できる装飾ライトがヒンジによって取り付けられ、前記光溝の内壁の中には扇形歯車がヒンジによって取り付けられ、前記扇形歯車の底部には回しロッドが固定的に取り付けられ、前記回しロッドと前記装飾ライトとがスライドできるように連結され、前記光溝の上側には前記光溝と連通している回転リングチャンバが設けられ、前記回転リングチャンバの中には回転リングが回転できるように取り付けられ、前記回転リングの底部端面にはねじ山溝が設けられ、前記扇形歯車と前記回転リングのねじ山溝とがスライドできるように連結され、回転リングが回転する時、回転リングが扇形歯車を連動させ、扇形歯車がヒンジ中心を中心に回転し、扇形歯車が回しロッドを連動させ、回しロッドが装飾ライトを回し、装飾ライトの投射方向を変え、これにより装飾効果を変えることを特徴とする食卓卓上装飾品。
【請求項２】
前記保存部品は前記ティッシュ保存チャンバの前後内壁の間にヒンジによって取り付けられたヒンジロッドも含み、前記ヒンジロッドの下側末端にはガイド輪が回転できるように取り付けられ、前記ヒンジロッドと前記ティッシュ保存チャンバの右側端面との間には引っ張りバネが固定的に取り付けられ、前記押しロッドと前記ティッシュ切り制御チャンバの片側内壁との間にはトーションバネが固定的に取り付けられ、前記転送溝の後側には歯車チャンバが設けられ、前記ローラ軸が後へ伸びて前記歯車チャンバの前側内壁を貫通しており、前記ローラ軸の後側端面には第一歯車が固定的に取り付けられ、前記歯車チャンバの後側内壁の中にはモーターが固定的に取り付けられ、前記モーターの前側出力軸にはモーター軸が固定的に連結され、前記モーター軸の前側端面には第二歯車が固定的に取り付けられ、前記第二歯車と前記第一歯車とが噛合し、前記収納箱の上側端面にはボタンスイッチが設けられ、前記ボタンスイッチと、前記モーターと、前記電磁石との間が通電できるように連結され、前記ボタンスイッチが時間遅延機能を持つことを特徴とする請求項１に記載の食卓卓上装飾品。
【請求項３】
前記装飾部品は前記装飾鉢の左側端面と前記回転リングチャンバの左側内壁との間に回転できるように取り付けられたノブも含み、前記ノブの右側端面にはノブ歯車が固定的に取り付けられ、前記回転リングの頂部端面には端面歯が設けられ、前記回転リングの端面歯と前記ノブ歯車とが噛合していることを特徴とする請求項１に記載の食卓卓上装飾品。
【発明の詳細な説明】
【技術分野】
【０００１】
本発明は生活用品分野を取り上げて、具体的には食卓卓上装飾品である。
【背景技術】
【０００２】
食事をする時、食卓の上に装飾品を置いて食事の雰囲気を出すことがあり、今使用されている食卓卓上装飾品の内容が比較的に単一であり、装飾効果が比較的に悪く、装飾品が大きな空間を占めす場合もあり、食卓で食事をすることに非常に不便であり、また実用的ではない。
【先行技術文献】
【特許文献】
【０００３】
【特許文献１】中国特許出願公開第１０２６９７２６０号明細書
【発明の概要】
【発明が解決しようとする課題】
【０００４】
本発明の目的は食卓卓上装飾品を提供し、それは上記の現在の技術中の問題を解決できる。
【課題を解決するための手段】
【０００５】
本発明の食卓卓上装飾品は、スタンドを含み、前記スタンドには収納箱が回転できるように取り付けられ、前記収納箱の中にはティッシュや他の器具を保存できる保存部品が設けられ、前記保存部品は前記収納箱の中に設けられた収納チャンバを含み、前記収納チャンバの左側にはティッシュを保存できるティッシュ保存チャンバが設けられ、前記ティッシュ保存チャンバの後側内壁には直接にロールティッシュを置くことができるティッシュ取り付けピンが回転できるように取り付けられ、前記ティッシュ保存チャンバの頂壁には前記収納箱の左側端面と連通している転送溝が設けられ、前記転送溝の前後内壁の間には左右に対称するローラ軸が回転できるように取り付けられ、前記ローラ軸には転送ローラが回転できるように取り付けられ、前記転送ローラの左側が前記転送溝の前後内壁の間に位置しており、前記転送ローラの左側には補助ローラが回転できるように取り付けられ、前記補助ローラと前記転送ローラとの間にはティッシュを転送できる転送ベルトが伝動できるように取り付けられ、前記転送溝の上下内壁の中にはティッシュ切り制御チャンバが上下に対称的に設けられ、前記ティッシュ切り制御チャンバと前記転送溝との間にはティッシュを切ることができる切り刃がスライドできるように取り付けられ、前記ティッシュ切り制御チャンバの左右内壁の間には押しロッドがヒンジによって取り付けられ、前記押しロッドには固定ピンが固定的に取り付けられ、前記押しロッドと前記切り刃とがスライドできるように取り付けられ、上側の前記ティッシュ切り制御チャンバと下側の前記ティッシュ切り制御チャンバとの間には連通している連結溝が設けられ、前記連結溝の後側には磁石チャンバが設けられ、前記磁石チャンバの後側内壁の中には電磁石が固定的に取り付けられ、前記連結溝と前記磁石チャンバとの間にはスライド軸がスライドできるように取り付けられ、前記スライド軸の後側端面には前記電磁石と引き合うことができる永久磁石が固定的に取り付けられ、前記押しロッドの左側端面にはスライドロッドが固定的に取り付けられ、前記スライドロッドと前記固定ピンとがスライドできるように取り付けられ、前記電磁石を通電させた後、前記電磁石が前記永久磁石を吸着し、これによりスライドロッドが押しロッドを押し動かして回転させ、押しロッドが切り刃を連動させてティッシュを切らせ、前記収納箱の頂部端面には支持ロッドが固定的に取り付けられ、前記支持ロッドの頂部端面には装飾鉢が固定的に取り付けられ、前記装飾鉢と前記支持ロッドとには装飾部品が設けられ、前記装飾部品は前記支持ロッドの前後端面に固定的に取り付けられた装飾酒ラックを含み、前記装飾酒ラックに装飾用の酒瓶を置くことができ、前記装飾鉢の中には生け花溝が設けられ、前記生け花溝の中に装飾用の生け花を置くことができ、前記生け花溝の内壁にはイルミネーションが左右に対称的に固定的に取り付けられ、前記イルミネーションが生け花の装飾効果を向上させることができ、前記装飾部品は前記装飾鉢の頂部端面に中心に対称的に設けられた六つの光溝も含み、前記光溝の内壁の中には装飾の光を投射できる装飾ライトがヒンジによって取り付けられ、前記光溝の内壁の中には扇形歯車がヒンジによって取り付けられ、前記扇形歯車の底部には回しロッドが固定的に取り付けられ、前記回しロッドと前記装飾ライトとがスライドできるように連結され、前記光溝の上側には前記光溝と連通している回転リングチャンバが設けられ、前記回転リングチャンバの中には回転リングが回転できるように取り付けられ、前記回転リングの底部端面にはねじ山溝が設けられ、前記扇形歯車と前記回転リングのねじ山溝とがスライドできるように連結され、回転リングが回転する時、回転リングが扇形歯車を連動させ、扇形歯車がヒンジ中心を中心に回転し、扇形歯車が回しロッドを連動させ、回しロッドが装飾ライトを回し、装飾ライトの投射方向を変え、これにより装飾効果を変える。
【０００６】
更の技術プラン、前記保存部品は前記ティッシュ保存チャンバの前後内壁の間にヒンジによって取り付けられたヒンジロッドも含み、前記ヒンジロッドの下側末端にはガイド輪が回転できるように取り付けられ、前記ヒンジロッドと前記ティッシュ保存チャンバの右側端面との間には引っ張りバネが固定的に取り付けられ、前記押しロッドと前記ティッシュ切り制御チャンバの片側内壁との間にはトーションバネが固定的に取り付けられ、前記転送溝の後側には歯車チャンバが設けられ、前記ローラ軸が後へ伸びて前記歯車チャンバの前側内壁を貫通しており、前記ローラ軸の後側端面には第一歯車が固定的に取り付けられ、前記歯車チャンバの後側内壁の中にはモーターが固定的に取り付けられ、前記モーターの前側出力軸にはモーター軸が固定的に連結され、前記モーター軸の前側端面には第二歯車が固定的に取り付けられ、前記第二歯車と前記第一歯車とが噛合し、前記収納箱の上側端面にはボタンスイッチが設けられ、前記ボタンスイッチと、前記モーターと、前記電磁石との間が通電できるように連結され、前記ボタンスイッチが時間遅延機能を持つ。
【０００７】
更の技術プラン、前記装飾部品は前記装飾鉢の左側端面と前記回転リングチャンバの左側内壁との間に回転できるように取り付けられたノブも含み、前記ノブの右側端面にはノブ歯車が固定的に取り付けられ、前記回転リングの頂部端面には端面歯が設けられ、前記回転リングの端面歯と前記ノブ歯車とが噛合している。
【発明の効果】
【０００８】
本発明は多種類の卓上装飾品を一つにまとめ、食卓への装飾効果をより良くし、食事の雰囲気をより良くし、またティッシュや小物の保存空間を設置することにより、装飾品を更に実用的にし、普及価値がある。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の全体構成略図
【図２】図２は図１のＡの拡大構成略図
【図３】図３は図１のＢの拡大構成略図
【図４】図４は図２のＣ―Ｃの断面構成略図
【図５】図５は図２のＤ―Ｄの断面構成略図
【図６】図６は回転リング３０の下面構成略図
【発明を実施するための形態】
【００１１】
図１〜６を参照し、本発明の食卓卓上装飾品は、スタンド１０を含み、前記スタンド１０には収納箱１１が回転できるように取り付けられ、前記収納箱１１の中にはティッシュや他の器具を保存できる保存部品８０が設けられ、前記保存部品８０は前記収納箱１１の中に設けられた収納チャンバ１７を含み、前記収納チャンバ１７の左側にはティッシュを保存できるティッシュ保存チャンバ１２が設けられ、前記ティッシュ保存チャンバ１２の後側内壁には直接にロールティッシュを置くことができるティッシュ取り付けピン１３が回転できるように取り付けられ、前記ティッシュ保存チャンバ１２の頂壁には前記収納箱１１の左側端面と連通している転送溝２３が設けられ、前記転送溝２３の前後内壁の間には左右に対称するローラ軸２５が回転できるように取り付けられ、前記ローラ軸２５には転送ローラ２４が回転できるように取り付けられ、前記転送ローラ２４の左側が前記転送溝２３の前後内壁の間に位置しており、前記転送ローラ２４の左側には補助ローラ５１が回転できるように取り付けられ、前記補助ローラ５１と前記転送ローラ２４との間にはティッシュを転送できる転送ベルト６０が伝動できるように取り付けられ、前記転送溝２３の上下内壁の中にはティッシュ切り制御チャンバ２６が上下に対称的に設けられ、前記ティッシュ切り制御チャンバ２６と前記転送溝２３との間にはティッシュを切ることができる切り刃２７がスライドできるように取り付けられ、前記ティッシュ切り制御チャンバ２６の左右内壁の間には押しロッド４７がヒンジによって取り付けられ、前記押しロッド４７には固定ピン４８が固定的に取り付けられ、前記押しロッド４７と前記切り刃２７とがスライドできるように取り付けられ、上側の前記ティッシュ切り制御チャンバ２６と下側の前記ティッシュ切り制御チャンバ２６との間には連通している連結溝６０が設けられ、前記連結溝６０の後側には磁石チャンバ４２が設けられ、前記磁石チャンバ４２の後側内壁の中には電磁石４１が固定的に取り付けられ、前記連結溝６０と前記磁石チャンバ４２との間にはスライド軸４４がスライドできるように取り付けられ、前記スライド軸４４の後側端面には前記電磁石４１と引き合うことができる永久磁石４３が固定的に取り付けられ、前記押しロッド４７の左側端面にはスライドロッド４５が固定的に取り付けられ、前記スライドロッド４５と前記固定ピン４８とがスライドできるように取り付けられ、前記電磁石４１を通電させた後、前記電磁石４１が前記永久磁石４３を吸着し、これによりスライドロッド４５が押しロッド４７を押し動かして回転させ、押しロッド４７が切り刃２７を連動させてティッシュを切らせ、前記収納箱１１の頂部端面には支持ロッド１８が固定的に取り付けられ、前記支持ロッド１８の頂部端面には装飾鉢２０が固定的に取り付けられ、前記装飾鉢２０と前記支持ロッド１８とには装飾部品８１が設けられ、前記装飾部品８１は前記支持ロッド１８の前後端面に固定的に取り付けられた装飾酒ラック１９を含み、前記装飾酒ラック１９に装飾用の酒瓶を置くことができ、前記装飾鉢２０の中には生け花溝２２が設けられ、前記生け花溝２２の中に装飾用の生け花を置くことができ、前記生け花溝２２の内壁にはイルミネーション２１が左右に対称的に固定的に取り付けられ、前記イルミネーション２１が生け花の装飾効果を向上させることができ、前記装飾部品８１は前記装飾鉢２０の頂部端面に中心に対称的に設けられた六つの光溝５６も含み、前記光溝５６の内壁の中には装飾の光を投射できる装飾ライト３５がヒンジによって取り付けられ、前記光溝５６の内壁の中には扇形歯車３３がヒンジによって取り付けられ、前記扇形歯車３３の底部には回しロッド３４が固定的に取り付けられ、前記回しロッド３４と前記装飾ライト３５とがスライドできるように連結され、前記光溝５６の上側には前記光溝５６と連通している回転リングチャンバ２９が設けられ、前記回転リングチャンバ２９の中には回転リング３０が回転できるように取り付けられ、前記回転リング３０の底部端面にはねじ山溝が設けられ、前記扇形歯車３３と前記回転リング３０のねじ山溝とがスライドできるように連結され、回転リング３０が回転する時、回転リング３０が扇形歯車３３を連動させ、扇形歯車３３がヒンジ中心を中心に回転し、扇形歯車３３が回しロッド３４を連動させ、回しロッド３４が装飾ライト３５を回し、装飾ライト３５の投射方向を変え、これにより装飾効果を変える。
【００１２】
前記保存部品８０は前記ティッシュ保存チャンバ１２の前後内壁の間にヒンジによって取り付けられたヒンジロッド１５も含み、前記ヒンジロッド１５の下側末端にはガイド輪１４が回転できるように取り付けられ、前記ヒンジロッド１５と前記ティッシュ保存チャンバ１２の右側端面との間には引っ張りバネ１６が固定的に取り付けられ、前記押しロッド４７と前記ティッシュ切り制御チャンバ２６の片側内壁との間にはトーションバネ５５が固定的に取り付けられ、前記転送溝２３の後側には歯車チャンバ４０が設けられ、前記ローラ軸２５が後へ伸びて前記歯車チャンバ４０の前側内壁を貫通しており、前記ローラ軸２５の後側端面には第一歯車３９が固定的に取り付けられ、前記歯車チャンバ４０の後側内壁の中にはモーター３６が固定的に取り付けられ、前記モーター３６の前側出力軸にはモーター軸３７が固定的に連結され、前記モーター軸３７の前側端面には第二歯車３８が固定的に取り付けられ、前記第二歯車３８と前記第一歯車３９とが噛合し、前記収納箱１１の上側端面にはボタンスイッチ５０が設けられ、前記ボタンスイッチ５０と、前記モーター３６と、前記電磁石４１との間が通電できるように連結され、前記ボタンスイッチ５０が時間遅延機能を持ち、前記モーター３６が作動してから五秒になると、電磁石４１を通電させ、電磁石４１が永久磁石４３を吸着しティッシュ切り動作を行い、収納チャンバ１７の中に茶具や小物を置くことができ、ティッシュを取る時、ボタンスイッチ５０を押し、モーター３６が通電され始動し、モーター３６が転送ローラ２４と転送ベルト６０とを連動させてティッシュを送り、五秒経過後、電磁石４１を通電させてティッシュを切り、ティッシュ切り動作が終わった後にボタンスイッチ５０が電磁石４１とモーター３６とを通電させなく、電磁石４１とモーター３６との作動を止める。
【００１３】
前記装飾部品８１は前記装飾鉢２０の左側端面と前記回転リングチャンバ２９の左側内壁との間に回転できるように取り付けられたノブ２８も含み、前記ノブ２８の右側端面にはノブ歯車３１が固定的に取り付けられ、前記回転リング３０の頂部端面には端面歯が設けられ、前記回転リング３０の端面歯と前記ノブ歯車３１とが噛合し、装飾酒ラック１９に装飾用の酒瓶を置くことができ、生け花溝２２の中に装飾用の生け花を置くことができ、イルミネーション２１は生け花の装飾効果を向上させることができ、ノブ２８を回転させる時、ノブ２８がノブ歯車３１を回転連動させ、ノブ歯車３１が回転リング３０を回転連動させ、回転リング３０が回転し扇形歯車３３を連動させ、扇形歯車３３がヒンジ中心を中心に回転し、扇形歯車３３が回転し装飾ライト３５を回し、装飾ライト３５がヒンジ中心を中心に回転し、これにより装飾ライト３５が光を異なった位置に投射でき、より良い装飾効果を実現する。
【００１４】
使用する時、収納チャンバ１７の中に茶具や小物を置くことができ、ティッシュを取る時、ボタンスイッチ５０を押し、モーター３６が通電され始動し、モーター３６が転送ローラ２４と転送ベルト６０とを連動させてティッシュを送り、五秒経過後、電磁石４１を通電させてティッシュを切り、ティッシュ切り動作が終わった後にボタンスイッチ５０が電磁石４１とモーター３６とを通電させなく、電磁石４１とモーター３６との作動を止め、装飾酒ラック１９に装飾用の酒瓶を置くことができ、生け花溝２２の中に装飾用の生け花を置くことができ、イルミネーション２１が生け花の装飾効果を向上させることができ、ノブ２８を回転させる時、ノブ２８がノブ歯車３１を回転連動させ、ノブ歯車３１が回転し回転リング３０を回転連動させ、回転リング３０が回転し扇形歯車３３を連動させ、扇形歯車３３がヒンジ中心を中心に回転し、扇形歯車３３が回転し装飾ライト３５を回し、装飾ライト３５がヒンジ中心を中心に回転し、これにより装飾ライト３５が光を異なった位置に投射でき、より良い装飾効果を実現する。
【００１５】
本発明の有益効果は：本発明は多種類の卓上装飾品を一つにまとめ、食卓への装飾効果をより良くし、食事の雰囲気をより良くし、またティッシュや小物の保存空間を設置することにより、装飾品を更に実用的にし、普及価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182758.tif 000003
【図２】
2020182758.tif 000004
【図３】
2020182758.tif 000005
【図４】
2020182758.tif 000006
【図５】
2020182758.tif 000007
【図６】
2020182758.tif 000008